(57)【要約】【課題】  プリンタでのフィード動作が円滑で、折り部での折り動作も円滑になしうる封筒型給与明細書用シートなどの封筒型帳票用シートを提供する。【課題の解決手段】  封筒型給与明細書用シート１は、裏面に剥離剤を全面的に設けてなる上位シート２の裏面側に、表面に粘着剤を三周縁は全面的に、他の部分は部分的に設けてなる下位シートを重ね合わせて接着してなり、上位シート２の表面側を重ね合わせ面として折り重ねるための折り用ミシン目６を設け、三周縁の粘着剤塗布部分に対応して開封用ミシン目７，８，９を設け、上位シート２の表面に折り用ミシン目６で折り重ねたときに露出する位置に宛名情報記入部１０を設けるとともに、隠蔽される位置に給与額記入部１１と控除額記入部１２を設ける一方、下位シートの粘着剤を露出すべく剥離するためのスリット１３を設けたものである。【選択図】    図１
2005153149.tif 000002
【特許請求の範囲】
【請求項１】
裏面に剥離剤を全面的に設けてなる上位シートの裏面側に、表面の周縁のうち少なくとも三周縁に沿った部分では全面的に、周縁を除く他の部分では部分的に粘着剤を設けてなる下位シートを重ね合わせて前記粘着剤で接着してなり、前記上位シートの表面側を重ね合わせ面として折り重ねるための折り部を設け、三周縁に沿った前記粘着剤塗布部分に対応して開封用切り取り部を設け、前記上位シートには、その表面に前記折り部で折り重ねたときに露出する位置に宛名情報記入部を設けるとともに、隠蔽される位置に隠蔽情報記入部を設け、前記折り部から下の三周縁に沿った前記開封用切り取り部の外側に位置して前記下位シートの粘着剤を露出すべく剥離するための切り取り部を設けたことを特徴とする封筒型帳票用シート。
【請求項２】
裏面に剥離剤を全面的に設けてなる上位シートの裏面側に、表面の周縁のうち少なくとも三周縁に沿った部分では全面的に、周縁を除く他の部分では部分的に粘着剤を設けてなる下位シートを重ね合わせて前記粘着剤で接着してなり、前記上位シートの表面側を重ね合わせ面として折り重ねるための折り用ミシン目を設け、三周縁に沿った前記粘着剤塗布部分に対応して開封用ミシン目を設け、前記上位シートには、その表面に前記折り用ミシン目で折り重ねたときに露出する位置に宛名情報記入部を設けるとともに、隠蔽される位置に隠蔽情報記入部を設け、前記折り用ミシン目から下の三周縁に沿った前記開封用ミシン目の外側に位置して前記下位シートの粘着剤を露出すべく剥離するためのスリットを設ける一方、下位シートの折り用ミシン目に対応する部分には粘着剤を設けていないことを特徴とする封筒型帳票用シート。
【発明の詳細な説明】
【技術分野】
【０００１】
本発明は、プリンタで印字した帳票を二つ折りし、宛名情報は露出状態で、隠蔽情報は隠蔽状態として三周縁を接着し、宛名人に渡すことができる封筒型帳票を形成するためのシートに関し、特に、給与明細書や請求書に適用して好適な封筒型帳票用シートに関する。なお、本明細書でいう隠蔽情報は、秘匿性が必要な情報に限定されないものである。
【背景技術】
【０００２】
従来から、この種の封筒型帳票用シートで、印字可能なものは知られているが、表側紙（上位シート）と裏側紙（下位シート）は、それぞれ折り部も含めて全面的に剥離剤と粘着剤とを設けてなるシール紙タイプのもので、表側紙（上位シート）の一部を剥離して封緘用の裏側紙（下位シート）の粘着剤を露出し、折り重ねて前記露出した粘着剤で接着し、封筒型帳票を形成するするよう構成している。
【特許文献１】特開２００２−１７８６７２号公報
【発明の開示】
【発明が解決しようとする課題】
【０００３】
しかしながらこの従来例によると、上位シートと下位シートとが全面的に接着するシール紙タイプの構成なので、シートの可撓性に難があって、プリンタでのフィード動作が円滑に行われないとともに、折り部での折り動作の円滑性に欠けるという不都合があった。また、折り部や切り取り部をミシン目やスリットで形成した場合には、粘着剤がこのミシン目やスリットからはみ出て、積み重ねて保管中に上下の帳票同士が接着したり、プリンタのフィードローラに粘着剤が付着して、ローラが汚れるとともに、フィード動作にも支障をきたすという不都合があった。本発明は、これらの不都合を解消した封筒型帳票用シートを提供することを目的とする。
【課題を解決するための手段】
【０００４】
この目的を達成するため、本発明の請求項１に係る封筒型帳票用シートは、裏面に剥離剤を全面的に設けてなる上位シートの裏面側に、表面の周縁のうち少なくとも三周縁に沿った部分ではベタ状に全面的に粘着剤を塗布し、周縁を除くその他の部分では、所定箇所にまたはほぼ均一に分散して、点状あるいは島状や縞状に粘着剤を部分的に塗布してなる下位シートを重ね合わせて前記粘着剤で接着してなり、前記上位シートの表面側を重ね合わせ面として折り重ねるための折り部を設け、三周縁に沿った前記粘着剤塗布部分に対応して開封用切り取り部を設け、前記上位シートには、その表面に前記折り部で折り重ねたときに露出するよう前記切り取り部が存在しない縁部側に位置して宛名情報記入部を設けるとともに、隠蔽される位置に給与明細や請求金額を記入する隠蔽情報記入部を設ける一方、前記折り部から下の三周縁に沿った前記開封用切り取り部の外側に位置して前記下位シートの粘着剤を露出すべく剥離するための切り取り部を設けたものである。なお、粘着剤の塗布状態としては、周縁部分に空気抜きを形成するよう非塗布部分を設けるとより好適である。
【０００５】
同じく上述の目的を達成するため、本発明の請求項２に係る封筒型帳票用シートは、裏面に剥離剤を全面的に設けてなる上位シートの裏面側に、表面の周縁のうち少なくとも三周縁部分に沿った部分ではベタ状に全面的に粘着剤を塗布し、周縁を除くその他の部分では、所定箇所にまたはほぼ均一に分散して、点状あるいは島状や縞状に粘着剤を部分的に塗布してなる下位シートを重ね合わせて前記粘着剤で接着してなり、前記上位シートの表面側を重ね合わせ面として折り重ねるための折り用ミシン目を設け、三周縁に沿った粘着剤塗布部分に対応して開封用ミシン目を設け、前記上位シートには、その表面に前記折り用ミシン目で折り重ねたときに露出するよう前記開封用ミシン目が存在しない縁部側に位置して宛名情報記入部を設けるとともに、隠蔽される位置に給与明細や請求金額を記入する隠蔽情報記入部を設け、前記折り用ミシン目から下の三周縁に沿った前記開封用ミシン目の外側に位置して前記下位シートの粘着剤を露出すべく剥離するためのスリットを設ける一方、下位シートの折り用ミシン目に対応する部分には粘着剤が設けられていないものである。なお、粘着剤の塗布状態としては、周縁部に空気抜きを形成するよう非塗布部分を設けるとより好適である。
【発明の効果】
【０００６】
本発明の請求項１に係る封筒型帳票用シートによれば、下位シートの粘着剤を、少なくとも三周縁部分は全面的に、周縁を除く他の部分は部分的に設けることによって、ほどよい可撓性を有して、円滑なプリント動作が可能になるという効果を奏する。
【０００７】
本発明の請求項２に係る封筒型帳票用シートによれば、下位シートの粘着剤を、少なくとも三周縁部分は全面的に、周縁を除く他の部分は部分的に設けて、折り用ミシン目に対応する部分には粘着剤が存在しないようにすることによって、ほどよい可撓性を有して、円滑なプリント動作が可能になるとともに、折り動作も円滑となり、さらには、折り用ミシン目から粘着剤がはみ出ないので、積み重ねて保管中に上下のシート同士が接着したり、プリンタのフィードローラに粘着剤が付着して、ローラが汚れたり、フィード動作に支障をきたすことがないという効果を奏する。
【発明を実施するための最良の形態】
【０００８】
以下、本発明を封筒型給与明細書用シートに適用した場合の好適な実施形態を添付図面に基づいて説明する。ここにおいて、図１は封筒型給与明細書用シートの表面側を示す平面図、図２は図１のＡ−Ａ線断面図、図３同じくＢ−Ｂ線断面図、図４は折り重ねて封筒型給与明細書を形成した状態を示す平面図、図５は開封状態を示す平面図である。
【０００９】
図１〜図３に示すように、封筒型給与明細書用シート１は、裏面に剥離剤４を全面的に設けてなる上位シート２の裏面側に、表面の四周縁に沿った部分ではベタ状に全面的に粘着剤５を塗布し、その他の部分ではほぼ均一に分散した島状に粘着剤５を部分的に塗布してなる下位シートを重ね合わせて、前記粘着剤５で接着してなる。また、前記封筒型給与明細書用シート１は、前記上位シート２の表面側を重ね合わせ面として折り重ねるための折り用ミシン目６を天地方向中央よりも下側に設け、三周縁に沿った前記粘着剤５塗布部分に対応して開封用ミシン目７，８，９を設けている。図２及び図３では理解できないが、前記粘着剤５は、ベタ状に塗布した周縁部分には細帯状の空気抜きを複数設けている。さらに、図２に示すように、前記粘着剤５は前記折り用ミシン目６に対応する部分には存在しない。
【００１０】
図１に示すように、上位シート２の表面には、折り用ミシン目６で折り重ねたときに露出する前記折り用ミシン目６と反対側の縁部側に宛名人の氏名や所属部署を記入する宛名情報記入部１０を設け、隠蔽される位置に隠蔽情報である宛名人に関する給与明細情報を記入する支給額記入部１１と控除額記入部１２とを前記折り用ミシン目６を挟んで設けている。また、上位シート２には、前記折り用ミシン目６から下の三周縁に沿った各開封用ミシン目７，８，９の外側に位置して下位シート３の粘着剤５を露出すべく剥離するためのスリット１３を設けている。
【００１１】
本実施形態は以上のように構成したので、封筒型給与明細書用シート１の各記入部１０，１１，１２に必要事項を印字した後、上位シート２のスリット１３から外側を剥離して、下位シート３の粘着剤５を露出し、折り用ミシン目６で上位シート２の表面側を重ね合わせるように折り重ねると、図４に示すように、宛名情報記入部１０が露出する一方、前記露出した粘着剤５で三周縁が接着された封筒型給与明細書１４が形成される。
【００１２】
この封筒型給与明細書１４を受け取った宛名人は、まず両側の開封用ミシン目７，９を切った後、開封用ミシン目８を切ると、開封用ミシン目８から外側部分１５が上位シート２に接着して残った、図５に示す開封状態となる。この開封状態において、隠蔽されていた各記入部１１，１２が露出し、給与明細情報を視認することができる。
【００１３】
なお、本発明は上述の実施形態に限定されるものではなく、例えば、折り部は折り用ミシン目６に限らず、筋押しによる折り目であったり、上位シート２のみに設けたスリットでもよい。また、粘着剤５を折り部６には対応位置しないようにこの折り部６と平行な縞状に設ければ、別途空気抜きを形成する必要はない。さらに、本発明を給与明細書以外に、請求書等の封筒型帳票を形成するためのシートにも適用可能である。
【図面の簡単な説明】
【００１４】
【図１】封筒型給与明細書用シートの表面側を示す平面図。
【図２】図１のＡ−Ａ線断面図。
【図３】図１のＢ−Ｂ線断面図。
【図４】折り重ねて封筒型給与明細書を形成した状態を示す平面図。
【図５】開封状態を示す平面図。
【符号の説明】
【００１５】
１      封筒型給与明細書用シート
２      上位シート
３      下位シート
４      剥離剤
５      粘着剤
６      折り用ミシン目
７，８，９      開封用ミシン目
１０      宛名情報記入部
１１      支給額記入部
１２      控除額記入部
１３      スリット
１４      封筒型給与明細書
【図１】
2005153149.tif 000003
【図２】
2005153149.tif 000004
【図３】
2005153149.tif 000005
【図４】
2005153149.tif 000006
【図５】
2005153149.tif 000007